(57)【要約】      （修正有）【課題】電磁波干渉を抑えると共に、高周波の伝送効果を達成できる画像信号伝送用コネクタのソケットコネクタを提供する。【解決手段】該内部絶縁本体の外側に設けられ、一対の第１狭側辺と一対の第１広側辺を有し、該第１狭側辺の末端にアース部材が設けられ、該第１広側辺に導電部材が設けられる内部金属カバー１４と、該内部金属カバーの外側に設けられ、該アース部材と相異する内部金属カバーの一端を外側へ突出させる外部絶縁本体と、該外部絶縁本体の外側に設けられ、リング部、第２狭側辺と第２広側辺を有し、該リング部に孔が形成されることにより、該アース部材と相異する内部金属カバーの一端を外側へ突出させ、その上にばねプレートが設けられ、該ばねプレートは、該内部金属カバーの導電部材と連接される外部金属カバー１６と、を備える。【選択図】図２
0003150508.tif 000002
【実用新案登録請求の範囲】
【請求項１】
回路板に設置されるソケットコネクタであって、
互いに直交する第１端と第２端を有すると共に、該第２端が該回路板と電気接続される複数の第１端子と、
互いに直交する第１端と第２端を有すると共に、該第２端が該回路板と電気接続される複数の第２端子と、
第１部材、第２部材及び第３部材を有し、該第１部材と第２部材を互いに組み合わせ、該第１部材と第２部材に夫々該第１端子と第２端子が嵌設され、第３部材は本体と延伸部を有し、該本体が結合後の第１部材と第２部材に設けられる内部絶縁本体と、
該内部絶縁本体の外側に設けられると共に、一対の第１狭側辺と一対の第１広側辺を有し、該第１狭側辺の末端にアース部材が設けられ、該第１広側辺に導電部材が設けられる内部金属カバーと、
該内部金属カバーの外側に設けられ、該アース部材と相異する内部金属カバーの一端を外側へ突出させる外部絶縁本体と、
該外部絶縁本体の外側に設けられると共に、リング部、第２狭側辺及び第２広側辺を有し、該リング部に孔が形成されることにより、該アース部材と相異する内部金属カバーの一端を外側へ突出させることができ、該第２広側辺は、該第２狭側辺と交差して接合されると共に、該リング部と連接され、その上にばねプレートが設けられ、該ばねプレートは、該内部金属カバーの導電部材と連接される外部金属カバーと、を備えることを特徴とする、ソケットコネクタ。
【請求項２】
前記第３部材に貫通孔が形成され、該延伸部に該貫通孔と対応すると共に、該第１端と第２端の第１端を位置決めることができる案内溝が形成されることを特徴とする、請求項１に記載のソケットコネクタ。
【請求項３】
前記第１端子と第２端子はインサートモールディング（ｉｎｓｅｒｔ  ｍｏｌｄｉｎｇ）で該内部絶縁本体に嵌設されることを特徴とする、請求項２に記載のソケットコネクタ。
【請求項４】
前記内部金属カバーと外部金属カバーは、単一の金属素材からなることを特徴とする、請求項３に記載のソケットコネクタ。
【請求項５】
ミニディスプレイポート界面規格であることを特徴とする、請求項１乃至４の何れか１項に記載のソケットコネクタ。
【考案の詳細な説明】
【技術分野】
【０００１】
本考案は、特に電磁波干渉を抑えると共に、高周波の伝送効果を達成できる画像信号伝送用コネクタのソケットコネクタに関するものである。
【背景技術】
【０００２】
ディスプレイポート（Ｄｉｓｐｌａｙ  Ｐｏｒｔ）は、音声と画像信号を同時に伝送できるデジタル表示界面規格であり、又、ディスプレイポートの画像信号伝送用コネクタの開発は、モニタの彩色度、解析度及び更新率を向上する上、パソコンが液晶、プラズマ又はＣＲＴなどのモニタと接続することができる。又、ディスプレイポートは、その伝送速度が１０.８Ｇｂに達すると共に、必要とする回線数も従来のケーブル界面より少ないが、高周波の伝送で伝送安定性が低いという問題が存在している。
【０００３】
近年、ミニディスプレイポート（Ｍｉｎｉ  Ｄｉｓｐｌａｙ  Ｐｏｒｔ）が開発され、その功能と伝送速度がディスプレイポートと等しい上、体積がより小さいので、市場の競争力が高いという特徴を有する。
【考案の概要】
【考案が解決しようとする課題】
【０００４】
従来のミニディスプレイポートは、三つのケースからなる。図１に示すように、該ミニディスプレイポートコネクタ（２）は、端子（２１）と、第１ケース（２２）と、第２ケース（２３）と、第３ケース（２４）からなり、該第１ケース（２２）にアース部材（２２１）が設けられ、該第１ケース（２２）と第３ケース（２４）とがばねプレート又は溶接によって互いに電気接続される。しかし、該第２ケース（２３）と第３ケース（２４）は、異なる部材であり、そして溶接によって互いに連結され、溶接不良や外力衝撃で隙間が発生すると、この隙間は、高周波の伝送に悪影響を与える。又、異なる部材である第２ケース（２３）と第３ケース（２４）を製造するために、夫々異なるモールドを準備する必要があることにより、製造コストが増加してしまうという問題がある。
【０００５】
そこで、案出されたのが本考案であって、電磁波干渉を抑えると共に、高周波の伝送効果を達成できる画像信号伝送用コネクタのソケットコネクタを提供することを目的としている。
【課題を解決するための手段】
【０００６】
本願の請求項１の考案は、回路板に設置されるソケットコネクタであって、互いに直交する第１端と第２端を有すると共に、該第２端が該回路板と電気接続される複数の第１端子と、互いに直交する第１端と第２端を有すると共に、該第２端が該回路板と電気接続される複数の第２端子と、第１部材、第２部材及び第３部材を有し、該第１部材と第２部材を互いに組み合わせ、該第１部材と第２部材に夫々該第１端子と第２端子が嵌設され、第３部材は本体と延伸部を有し、該本体が結合後の第１部材と第２部材に設けられる内部絶縁本体と、該内部絶縁本体の外側に設けられると共に、一対の第１狭側辺と一対の第１広側辺を有し、該第１狭側辺の末端にアース部材が設けられ、該第１広側辺に導電部材が設けられる内部金属カバーと、該内部金属カバーの外側に設けられ、該アース部材と相異する内部金属カバーの一端を外側へ突出させる外部絶縁本体と、該外部絶縁本体の外側に設けられると共に、リング部、第２狭側辺及び第２広側辺を有し、該リング部に孔が形成されることにより、該アース部材と相異する内部金属カバーの一端を外側へ突出させることができ、該第２広側辺は、該第２狭側辺と交差して接合されると共に、該リング部と連接され、その上にばねプレートが設けられ、該ばねプレートは、該内部金属カバーの導電部材と連接される外部金属カバーと、を備えることを特徴とするソケットコネクタを提供する。
【０００７】
本願の請求項２の考案は、前記第３部材に貫通孔が形成され、該延伸部に該貫通孔と対応すると共に、該第１端と第２端の第１端を位置決めることができる案内溝が形成されることを特徴とする請求項１に記載のソケットコネクタを提供する。
【０００８】
本願の請求項３の考案は、前記第１端子と第２端子はインサートモールディング（ｉｎｓｅｒｔ  ｍｏｌｄｉｎｇ）で該内部絶縁本体に嵌設されることを特徴とする請求項２に記載のソケットコネクタを提供する。
【０００９】
本願の請求項４の考案は、前記内部金属カバーと外部金属カバーは、単一の金属素材からなることを特徴とする請求項３に記載のソケットコネクタを提供する。
【００１０】
本願の請求項５の考案は、ミニディスプレイポート界面規格であることを特徴とする請求項１乃至４の何れかに記載のソケットコネクタを提供する。
【考案の効果】
【００１１】
本考案は上記の課題を解決するものであり、該ソケットコネクタのアース部材は、内部金属カバーから外側へ延伸しながら回路板と接触することにより、電磁波の導出効果を向上することができ、更に、該外部金属カバーは、一体形成の構造を有するので、従来のような電磁波干渉の問題を防止することができる。
【図面の簡単な説明】
【００１２】
【図１】従来のミニディスプレイポートコネクタの斜視図である。
【図２】本考案に係るソケットコネクタの斜視図である。
【図３】本考案に係るソケットコネクタの分解断面図である。
【図４】本考案に係るソケットコネクタの大部分解斜視図である。
【図５】本考案に係るソケットコネクタの一部分解斜視図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図２は、本考案に係るソケットコネクタの斜視図であり、図３は、本考案に係るソケットコネクタの分解断面図であり、図４は、本考案に係るソケットコネクタの大部分解斜視図であり、図５は、本考案に係るソケットコネクタの一部分解斜視図である。
【００１５】
図２乃至図５に示すように、本考案に係わるソケットコネクタ（１）は、１０本の第１端子（１１）と、１０本の第２端子（１２）と、内部絶縁本体（１３）と、内部金属カバー（１４）と、外部絶縁本体（１５）と、外部金属カバー（１６）とを備える。
【００１６】
該第１端子（１１）と第２端子（１２）は、夫々互いに直交する第１端（１１１、１２１）と第２端（１１２、１２２）を有し、該第２端（１１２、１２２）は、該ソケットコネクタ（１）を回路板（Ａ）に設置する時に用いられるものである。
【００１７】
該内部絶縁本体（１３）は、第１部材（１３１）と第２部材（１３２）と第３部材（１３３）からなるものである。該第１部材（１３１）に該第１端子（１１）が嵌設され、該第２部材（１３２）に該第２端子（１２）が嵌設され、第１部材（１３１）と第２部材（１３２）を互いに組合することにより、一体化する。第３部材（１３３）には、該第１端（１１）と第２端（１２）を貫設するための貫通孔（１３３３）が形成されると共に、本体（１３３１）と延伸部（１３３２）とを備え、該本体（１３３１）が組合後の第１部材（１３１）と第２部材（１３２）に設置され、該延伸部（１３３２）が該本体（１３３１）から伸びだし、その上に該貫通孔（１３３３）と対応すると共に、第１端（１１）と第２端（１２）の第１端（１１１、１２１）を位置決めることができる案内溝（１３３４）が形成される。
【００１８】
該内部金属カバー（１４）は、該内部絶縁本体（１３）の外側に設けられると共に、一対の第１狭側辺（１４１）と一対の第１広側辺（１４２）を有し、該第１狭側辺（１４１）の末端にアース部材（１４１１）が設けられ、該第１広側辺（１４２）に導電部材（１４２１）が設けられ、該アース部材（１４１１）が電磁波を外側へ導出することにより、電磁波干渉を抑えることができる。
【００１９】
該外部絶縁本体（１５）は、該内部金属カバー（１４）の外側に設けられ、又、該アース部材（１４１１）と相異する内部金属カバー（１４）の一端が該外部絶縁本体（１５）から外側へ突出される。
【００２０】
該外部金属カバー（１６）は、該外部絶縁本体（１５）の外側に設けられると共に、リング部（１６１）、第２狭側辺（１６２）及び第２広側辺（１６３）を有し、該リング部（１６１）に孔（１６１１）が形成されることにより、該アース部材（１４１１）と相異する内部金属カバー（１４）の一端が該外部絶縁本体（１５）と外部金属カバー（１６）から外側へ突出されることができ、該第２広側辺（１６３）は、該第２狭側辺（１６２）と交差して接合されると共に、該リング部（１６１）と連接され、その上にばねプレート（１６３１）が設けられ、該ばねプレート（１６３１）は、該内部金属カバー（１４）の導電部材（１４２１）と連接されることにより、該外部金属カバー（１６）の電磁波が該内部金属カバー（１４）のアース部材（１４１１）で外側へ導出される。
【００２１】
本考案に係わるソケットコネクタを組み合わせる場合、先ず第１端子（１１）と第２端子（１２）が夫々該第１部材（１３１）と第２部材（１３２）に嵌設されると共に、該第１端（１１１、１２１）と第２端（１１２、１２２）が該第１部材（１３１）と第２部材（１３２）から露出され、該第１部材（１３１）と第２部材（１３２）を組み合わせた後、組合後の第１部材（１３１）と第２部材（１３２）に第３部材（１３３）が設けられ、該第１端（１１１、１２１）が第３部材（１３３）の貫通孔（１３３３）から突出されると共に、延伸部（１３３２）の案内溝（１３３４）に位置決めされ、そして、第１端子（１１）と第２端子（１２）の第１端（１１１、１２１）に順序に内部金属カバー（１４）、外部絶縁本体（１５）及び外部金属カバー（１６）が設けられることにより、本考案の組合を完成する。
【産業上の利用可能性】
【００２２】
本考案は上記の構成を有し、該ソケットコネクタ（１）のアース部材（１４１１）は、内部金属カバー（１４）から外側へ延伸しながら回路板（Ａ）と接触することにより、電磁波の導出効果を向上することができ、更に、該外部金属カバー（１６）は、一体形成の構造を有するので、従来のような電磁波干渉の問題を防止することができる。
【符号の説明】
【００２３】
１          ソケットコネクタ
１１        第１端子
１１１      第１端
１１２      第２端
１２        第２端子
１２１      第１端
１２２      第２端
１３        内部絶縁本体
１３１      第１部材
１３２      第２部材
１３３      第３部材
１３３１    本体
１３３２    延伸部
１３３３    貫通孔
１３３４    案内溝
１４        内部金属カバー
１４１      第１狭側辺
１４１１    アース部材
１４２      第１広側辺
１４２１    導電部材
１５        外部絶縁部材
１６        外部金属カバー
１６１      リング部
１６１１    孔
１６２      第２狭側辺
１６３      第２広側辺
１６３１    ばねプレート
２          ミニディスプレイポートコネクタ
２１        端子
２２        第１ケース
２２１      アース部材
２３        第２ケース
２４        第３ケース
Ａ          回路板
【図１】
0003150508.tif 000003
【図２】
0003150508.tif 000004
【図３】
0003150508.tif 000005
【図４】
0003150508.tif 000006
【図５】
0003150508.tif 000007